(57)【要約】    【課題】      移動局装置の処理負荷や回路規模の増大を抑えつつ、セル切り替えのときのパケットロスを低減すること。    【解決手段】  受信ＳＩＲ測定部１０２は、接続セルの受信ＳＩＲ（ＳＩＲＭ）を測定する。エッジ検出部１０３およびセル切り替え位置検出部１０４は、ＳＩＲＭを閾値ＴＨ１、ＴＨ２とそれぞれ比較することにより、移動局装置（ＭＳ）１００が接続セルのセルエッジゾーンにあることおよびＭＳ１００が接続セルから他セルへのセル切り替えゾーンにあることを検出する。ＦＦＴタイミング検出部１０８は、ＭＳ１００がセルエッジゾーンにあることが検出された場合に、他セルのＦＦＴウィンドウタイミングを検出する。セル切り替え部１０５は、ＭＳ１００がセル切り替えゾーンにあることが検出された場合、ＦＦＴタイミング検出部１０８により検出されたＦＦＴウィンドウタイミングに従って、接続セルから他セルへの切り替えを行う。  【選択図】      図１
2005318405.tif 000002
【特許請求の範囲】
【請求項１】
現在接続中の接続セルの受信ＳＩＲを測定する測定手段と、
測定された受信ＳＩＲに基づいて、現在位置が接続セルのエッジ部であることを検出するエッジ検出手段と、
現在位置が接続セルのエッジ部であることが検出された場合、他セルのＦＦＴウィンドウタイミングを検出するタイミング検出手段と、
測定された受信ＳＩＲに基づいて、現在位置が接続セルから他セルへのセル切り替え位置であることを検出する切り替え位置検出手段と、
現在位置がセル切り替え位置であることが検出された場合、検出されたＦＦＴウィンドウタイミングに従って、接続セルから他セルへの切り替えを行う切り替え手段と、
を有することを特徴とする移動局装置。
【請求項２】
接続セルの中央部のＧＩ相関値および接続セルのエッジ部のＧＩ相関値を算出する相関値算出手段を有し、
前記タイミング検出手段は、
算出された中央部のＧＩ相関値およびエッジ部のＧＩ相関値の誤差を算出する誤差算出手段と、
算出された誤差に基づいて、他セルのＦＦＴウィンドウタイミングを推定する推定手段と、
を有することを特徴とする請求項１記載の移動局装置。
【請求項３】
前記推定手段は、
算出された誤差が最大値となるタイミングを、他セルのＦＦＴウィンドウタイミングとする、
ことを特徴とする請求項２記載の移動局装置。
【請求項４】
前記推定手段は、
算出された誤差が所定値以上となるタイミングを、他セルのＦＦＴウィンドウタイミングとする、
ことを特徴とする請求項２記載の移動局装置。
【請求項５】
接続セルの受信ＳＩＲを測定する測定ステップと、
前記測定ステップで測定した受信ＳＩＲに基づいて、現在位置が接続セルのエッジ部であることを検出するエッジ検出ステップと、
前記エッジ検出ステップで現在位置が接続セルのエッジ部であることが検出された場合、他セルのＦＦＴウィンドウタイミングを検出するタイミング検出ステップと、
前記測定ステップで測定した受信ＳＩＲに基づいて、現在位置が接続セルから他セルへのセル切り替え位置であることを検出する切り替え位置検出ステップと、
前記切り替え位置検出ステップで現在位置がセル切り替え位置であることが検出された場合、前記タイミング検出ステップで検出したＦＦＴウィンドウタイミングに従って、接続セルから他セルへの切り替えを行う切り替えステップと、
を有することを特徴とするセル選択方法。
【発明の詳細な説明】
【技術分野】
【０００１】
本発明は、移動局装置およびセル選択方法に関し、特に、マルチキャリア伝送方式を適用した無線通信システムにて用いられる移動局装置およびセル選択方法に関する。
【背景技術】
【０００２】
携帯電話などの移動体通信端末装置（移動局装置）を構成要素とする無線通信システムには、限られた周波数帯域を有効利用するため、通信エリアを複数のセルに分割しセル毎に基地局装置を設けるセルラー方式が従来から広く採用されている。セルラー方式の無線通信システムに用いられる移動局装置では、接続すべき最適なセルを移動局装置の地理的位置および伝搬環境に応じて選択するためのセル選択が行われる。そして、セル選択の結果によっては、そのときまで接続していたセル（接続セルまたは自セル）から他セル（移動先セル）への切り替えが行われる。
【０００３】
ところで近年では、無線通信システムの高速化・大容量化に対する要求が高まっており、高速・大容量の通信を実現可能な方式としてマルチキャリア伝送方式が注目を集めている。例えば非特許文献１には、マルチキャリア伝送方式に基づくＯＦＣＤＭ（Orthogonal Frequency and Code Division Multiplexing）方式の無線通信システムにおけるセル選択方法が開示されている。
【０００４】
開示されたセル選択方法において、移動局装置は、各セル（つまり各セルに設けられた基地局装置）からの下り共通パイロットチャネル（ＰＩＣＨ：Pilot Channel）を用いる。より具体的には、図１０に示すように、まず、所定の更新周期におけるＰＩＣＨの平均受信ＳＩＲ（Signal to Interference Ratio）をセル毎に測定する。そして、測定対象のセルが、アクティブセットに含まれているセルであれば、その平均受信ＳＩＲが所定の第１の閾値よりも小さい場合に、アクティブセットからの削除を行う。一方、測定対象のセルが、アクティブセットに含まれていないセルであれば、その平均受信ＳＩＲが所定の第２の閾値よりも大きい場合に、アクティブセットへの追加を行う。ここで、アクティブセットとは、所定値以上の平均受信ＳＩＲを持つセルのグループである。また、移動局装置は、所定のセル選択周期における平均受信ＳＩＲを、アクティブセットに含まれた各セルに対して測定する。そして、最大の平均受信ＳＩＲを持つセルを選択する。この結果、選択されたセルが接続セルとなり、接続セルに設けられた基地局装置から、移動局装置宛てのデータが送信される。
【非特許文献１】「ブロードバンドＯＦＣＤＭパケット無線アクセスの下りリンクハンドオーバにおけるセル選択周期の最適化」、信学技報、NS2002-108、RCS2002-136(2002-07)
【発明の開示】
【発明が解決しようとする課題】
【０００５】
しかしながら、従来のセル選択方法においては、アクティブセットの更新周期およびセルの選択周期に従って平均受信ＳＩＲの測定を行わなければならない。したがって、特にアクティブセットが増大した場合には移動局装置の処理負荷が増大してしまう。さらに、これらの処理のために移動局装置に実装される回路の規模も大きくなってしまう。
【０００６】
また、セルを切り替えてデータ受信を開始するためには、移動先セルのＦＦＴ（Fast Fourier Transform）ウィンドウタイミングの検出が不可欠である。例えばＯＦＣＤＭのようなマルチキャリア伝送方式では、ＦＦＴウィンドウタイミングを検出しないことには、データフレームの先頭位置（フレームタイミング）の検出に用いられるＰＩＣＨを取り出すことができないからである。ところが、従来の場合、セル切り替えの時点で移動先セルのＦＦＴウィンドウタイミングは検出されていない。移動局装置による移動先セルのＦＦＴウィンドウタイミングの検出は、セル間同期型の無線通信システムを前提とすれば容易だが、柔軟なシステム展開が可能で広く利用されているセル間非同期型の無線通信システムの場合は困難である。このため、セル切り替えが行われるときにセルサーチを再度行う必要があるが、セルサーチを再度行っている期間にパケットロスが発生し得る。
【０００７】
本発明は、かかる点に鑑みてなされたもので、移動局装置の処理負荷や回路規模の増大を抑えつつ、セル切り替えのときのパケットロスを低減することができる移動局装置およびセル選択方法を提供することを目的とする。
【課題を解決するための手段】
【０００８】
本発明の移動局装置は、現在接続中の接続セルの受信ＳＩＲを測定する測定手段と、測定された受信ＳＩＲに基づいて、現在位置が接続セルのエッジ部であることを検出するエッジ検出手段と、現在位置が接続セルのエッジ部であることが検出された場合、他セルのＦＦＴウィンドウタイミングを検出するタイミング検出手段と、測定された受信ＳＩＲに基づいて、現在位置が接続セルから他セルへのセル切り替え位置であることを検出する切り替え位置検出手段と、現在位置がセル切り替え位置であることが検出された場合、検出されたＦＦＴウィンドウタイミングに従って、接続セルから他セルへの切り替えを行う切り替え手段と、を有する構成を採る。
【０００９】
この構成によれば、接続セルの受信ＳＩＲに基づいて、現在位置が接続セルのエッジ部であることを検出するため、周辺セルの受信ＳＩＲを常時検出する必要がなくなり、移動局装置の処理負荷および回路規模の増大を抑えることができる。さらに、現在位置が接続セルのエッジ部であることが検出された場合に、他セルのＦＦＴウィンドウタイミングを検出し、現在位置が接続セルから他セルへのセル切り替え位置であることが検出された場合に、検出されたＦＦＴウィンドウタイミングに従って、接続セルから他セルへの切り替えを行うため、セル切り替えが行われる前に移動先セルのＦＦＴウィンドウタイミングを知ることができ、セル切り替えのときに発生し得るパケットロスを低減することができる。さらに、移動局装置での検出結果を基地局装置にフィードバックする必要がないため、上り方向のチャネル利用効率を向上させることが可能となる。
【００１０】
本発明の移動局装置は、上記構成において、接続セルの中央部のＧＩ相関値および接続セルのエッジ部のＧＩ相関値を算出する相関値算出手段を有し、前記タイミング検出手段は、算出された中央部のＧＩ相関値およびエッジ部のＧＩ相関値の誤差を算出する誤差算出手段と、算出された誤差に基づいて、他セルのＦＦＴウィンドウタイミングを推定する推定手段と、を有する構成を採る。例えば、本発明の移動局装置は、上記構成において、前記推定手段は、算出された誤差が最大値となるタイミングを、他セルのＦＦＴウィンドウタイミングとする、構成を採る。または、本発明の移動局装置は、上記構成において、前記推定手段は、算出された誤差が所定値以上となるタイミングを、他セルのＦＦＴウィンドウタイミングとする、構成を採る。
【００１１】
これらの構成によれば、接続セルの中央部のＧＩ相関値および接続セルのエッジ部のＧＩ相関値の誤差が最大となるタイミングまたは所定値以上となるタイミングを、他セルのＦＦＴウィンドウタイミングとするため、接続セルから他セルへのセル切り替えを円滑に行うことが可能となる。
【００１２】
本発明のセル選択方法は、接続セルの受信ＳＩＲを測定する測定ステップと、前記測定ステップで測定した受信ＳＩＲに基づいて、現在位置が接続セルのエッジ部であることを検出するエッジ検出ステップと、前記エッジ検出ステップで現在位置が接続セルのエッジ部であることが検出された場合、他セルのＦＦＴウィンドウタイミングを検出するタイミング検出ステップと、前記測定ステップで測定した受信ＳＩＲに基づいて、現在位置が接続セルから他セルへのセル切り替え位置であることを検出する切り替え位置検出ステップと、前記切り替え位置検出ステップで現在位置がセル切り替え位置であることが検出された場合、前記タイミング検出ステップで検出したＦＦＴウィンドウタイミングに従って、接続セルから他セルへの切り替えを行う切り替えステップと、を有するようにした。
【００１３】
この方法によれば、接続セルの受信ＳＩＲに基づいて、現在位置が接続セルのエッジ部であることを検出するため、周辺セルの受信ＳＩＲを常時検出する必要がなくなり、移動局装置の処理負荷および回路規模の増大を抑えることができる。さらに、現在位置が接続セルのエッジ部であることが検出された場合に、他セルのＦＦＴウィンドウタイミングを検出し、現在位置が接続セルから他セルへのセル切り替え位置であることが検出された場合に、検出されたＦＦＴウィンドウタイミングに従って、接続セルから他セルへの切り替えを行うため、セル切り替えが行われる前に移動先セルのＦＦＴウィンドウタイミングを知ることができ、セル切り替えのときに発生し得るパケットロスを低減することができる。さらに、移動局装置での検出結果を基地局装置にフィードバックする必要がないため、上り方向のチャネル利用効率を向上させることが可能となる。
【発明の効果】
【００１４】
以上説明したように、本発明によれば、移動局装置の処理負荷や回路規模の増大を抑えつつ、セル切り替えのときのパケットロスを低減することができる。
【発明を実施するための最良の形態】
【００１５】
本発明の第１の骨子は、接続セルの受信ＳＩＲに基づいて、現在位置が接続セルのエッジ部であることを検出することである。また、本発明の第２の骨子は、現在位置が接続セルのエッジ部であることが検出された場合に、他セルのＦＦＴウィンドウタイミングを検出し、現在位置が接続セルから他セルへのセル切り替え位置であることが検出された場合に、検出されたＦＦＴウィンドウタイミングに従って、接続セルから他セルへの切り替えを行うことである。
【００１６】
以下、本発明の実施の形態について、図面を用いて詳細に説明する。
【００１７】
（実施の形態１）
図１は、本発明の実施の形態１に係る移動局装置の構成を示すブロック図である。図１の移動局装置（ＭＳ）１００は、アンテナ１０１、受信ＳＩＲ測定部１０２、セルエッジ検出部１０３、セル切り替え位置検出部１０４、セル切り替え部１０５、ＧＩ（Guard Interval）相関値算出部１０６、レプリカ保持部１０７、ＦＦＴタイミング検出部１０８、移動先セル検出結果格納部１０９、周辺セル情報保持部１１０、フレームタイミング／コード検出部１１１およびＲＦ（Radio Frequency）部１１２を有する。また、ＦＦＴタイミング検出部１０８は、図２に示すように、誤差算出部１２１および最大誤差検出部１２２を有する。
【００１８】
ＲＦ部１１２は、アンテナ１０１を介して受信した信号に対してダウンコンバートおよびアナログディジタル変換などを含む所定の無線受信処理を行う。無線受信処理された受信信号は、受信ＳＩＲ測定部１０２およびＧＩ相関値算出部１０６に出力される。
【００１９】
受信ＳＩＲ測定部１０２は、ＰＩＣＨの共通パイロット信号を用いて、現在接続中のセル（以下「接続セル」または「自セル」と言う）の受信ＳＩＲを測定する。例えば、共通パイロット信号の相関を取得し、その結果を基に生成される遅延プロファイルから受信ＳＩＲを求める。以下、測定された受信ＳＩＲを「ＳＩＲＭ」と言う。
【００２０】
セルエッジ検出部１０３は、ＳＩＲＭを、予め内部に記憶されている所定の閾値ＴＨ１と比較する。この比較の結果、ＳＩＲＭが閾値ＴＨ１以上の場合は、ＭＳ１００の現在位置が接続セルのセル中央ゾーン内であると判断する。そして、その旨がＧＩ相関値算出部１０６に通知される。この場合、周辺セルサーチやセル切り替えは行われないこととなり、接続セルとの接続状態が維持される。一方、ＳＩＲＭが閾値ＴＨ１よりも小さい場合は、その旨およびＳＩＲＭをセル切り替え位置検出部１０４に通知する。
【００２１】
セル切り替え位置検出部１０４は、セルエッジ検出部１０３からの通知を受けた場合に、ＳＩＲＭを、予め内部に記憶されている所定の閾値ＴＨ２（ＴＨ２＜ＴＨ１）と比較する。この比較の結果、ＳＩＲＭが閾値ＴＨ２以上の場合は、ＭＳ１００の現在位置が接続セルのセルエッジゾーン内であると判断される。そして、その旨がＧＩ相関値算出部１０６およびＦＦＴタイミング検出部１０８に通知される、つまり、接続セルとの接続状態は維持されるが、移動先セルのＦＦＴタイミングの検出が指示される。一方、ＳＩＲＭが閾値ＴＨ２よりも小さい場合は、ＭＳ１００の現在位置が接続セルから他セルへの切り替えゾーンにあると判断される。そして、その旨がセル切り替え部１０５に通知される。
【００２２】
なお、セルエッジ検出部１０３およびセル切り替え位置検出部１０４によるＭＳ１００の位置判断において、瞬時のシャドウイングなどによる誤判断が発生することを回避するために、例えばカウンタをセル切り替え位置検出部１０４に設けても良い。そして、比較結果がＴＨ２≦ＳＩＲＭ＜ＴＨ１となったときにカウントを行い、この結果が所定回数連続した場合にＭＳ１００がセルエッジゾーンに居ると判断する。また、比較結果がＳＩＲＭ＜ＴＨ２となったときにカウントを行い、この結果が所定回数連続した場合にＭＳ１００がセル切り替えゾーンに居ると判断する。
【００２３】
セル切り替え部１０５は、セル切り替え位置検出部１０４からの通知を受けた場合に、移動先セル検出結果格納部１０９に格納されている移動先セル検出結果を読み出し、接続すべきセルを、自セルから移動先セルに切り替えるための処理を実行する。
【００２４】
ＧＩ相関値算出部１０６は、接続セルのＢＳからの受信信号を用いてＧＩ相関値を算出する。より具体的には、ＭＳ１００が接続セルのセル中央ゾーンに居る場合（これは、例えばセルエッジ検出部１０３からの通知を受けることにより、検出することができる）、接続セルのセル中央ゾーンのＧＩ相関値ＣＣＥＮＴＥＲが算出される。算出されたＧＩ相関値ＣＣＥＮＴＥＲは、レプリカ保持部１０７に出力される。また、ＭＳ１００が接続セルのセルエッジゾーンに居る場合（これは、セル切り替え位置検出部１０４からの通知を受けることにより、検出することができる）、接続セルのセルエッジゾーンのＧＩ相関値ＣＥＤＧＥが算出される。算出されたＧＩ相関値ＣＥＤＧＥは、ＦＦＴタイミング検出部１０８に通知される。
【００２５】
レプリカ保持部１０７は、ＧＩ相関値ＣＣＥＮＴＥＲを、その最大値で正規化することによりレプリカＣＲＥＰを生成し、生成したレプリカＣＲＥＰを保持する。
【００２６】
ＦＦＴタイミング検出部１０８は、セル切り替え位置検出部１０４から位置検出結果の通知を受けた場合、つまり、ＭＳ１００が接続セルのセルエッジゾーンに居る場合、他セルのＦＦＴウィンドウタイミングの検出を実行する。
【００２７】
より具体的には、ＦＦＴタイミング検出部１０８において、誤差算出部１２１は、レプリカＣＲＥＰおよびＣＥＤＧＥの誤差Ｄを算出する。算出された誤差Ｄは、最大誤差検出部１２２に出力される。最大誤差検出部１２２は、誤差Ｄに基づいて、誤差Ｄが最大値ＤＭＡＸとなるタイミングを検出する。そして、検出されたタイミングを他セルのＦＦＴウィンドウタイミングとする。ＦＦＴタイミング検出部１０８では、このようにして他セルのＦＦＴウィンドウタイミングが推定される。
【００２８】
周辺セル情報保持部１１０は、周辺セルの例えばスクランブルコードなどに関する周辺セル情報を予め保持している。
【００２９】
フレームタイミング／コード検出部１１１は、周辺セル情報保持部１１０に保持されている周辺セル情報を読み出す。また、ＦＦＴタイミング検出部１０８により検出された他セルのＦＦＴウィンドウタイミングでＦＦＴ処理を実行する。そして、所定の方法により、ＰＩＣＨを抽出しフレームタイミングを検出するとともにスクランブルコードを検出（同定）する。フレームタイミング／コード検出部１１１による検出結果は、移動先セル検出結果として移動先セル検出結果格納部１０９に格納される。
【００３０】
次いで、上記構成を有するＭＳ１００における移動先セル検出動作について説明する。図３は、ＭＳ１００における移動先セル検出動作を説明するためのフロー図である。なお、下記のフローは、接続セルとの同期が保持されているときに開始される。
【００３１】
まず、ステップＳＴ１０００では、ＧＩ相関値算出部１０６で、ＧＩ相関値ＣＣＥＮＴＥＲが算出される。そして、ステップＳＴ１０１０では、レプリカ保持部１０７で、ＧＩ相関値ＣＣＥＮＴＥＲを正規化することによりレプリカＣＲＥＰが生成される（図５（ａ））。生成されたレプリカＣＲＥＰは、レプリカ保持部１０７に保持される。
【００３２】
そして、ステップＳＴ１０２０では、受信ＳＩＲ測定部１０２で、接続セルのＳＩＲＭを測定する。そして、ステップＳＴ１０３０では、セルエッジ検出部１０３で、ＳＩＲＭと閾値ＴＨ１の比較が行われる。この比較の結果、ＳＩＲＭ≧ＴＨ１の場合（ＳＴ１０３０：ＮＯ）、ステップＳＴ１０２０に戻る。一方、ＳＩＲＭ＜ＴＨ１の場合（ＳＴ１０３０：ＹＥＳ）、ステップＳＴ１０４０に進む。
【００３３】
ステップＳＴ１０４０では、セル切り替え位置検出部１０４で、ＳＩＲＭと閾値ＴＨ２の比較が行われる。この比較の結果、ＳＩＲＭ＜ＴＨ２の場合（ＳＴ１０４０：ＹＥＳ）、ステップＳＴ１１２０に進み、ＳＩＲＭ≧ＴＨ２の場合（ＳＴ１０４０：ＮＯ）、ステップＳＴ１０５０に進む。
【００３４】
ここで、ＭＳ１００におけるセルエッジの検出について述べる。図４は、ＭＳ１００におけるセルエッジの検出動作説明に供する図であり、同図には、自セルと他セルの配置が模式的に示されている。ＭＳ１００が自セルのセル中央ゾーンに位置しているとき、ＳＩＲＭは、閾値ＴＨ１以上となる。また、ＭＳ１００が自セルのセルエッジゾーンに移動したときは、ＳＩＲＭは、閾値ＴＨ１よりも小さくなり且つ閾値ＴＨ２以上となる。また、ＳＩＲＭがさらに低下して閾値ＴＨ２よりも小さくなった場合は、ＭＳ１００が、自セルから他セルへの切り替えを行うべき位置に移動したと認識することができる。なお、閾値ＴＨ１、ＴＨ２は、自セルや他セルのサイズ（例えば、セルの半径Ｒ）に基づいて求めることができる。
【００３５】
ステップＳＴ１０５０では、ＧＩ相関値算出部１０６で、ＧＩ相関値ＤＥＤＧＥが算出される。そして、ステップＳＴ１０６０では、ステップＳＴ１０１０で保持したレプリカＣＲＥＰを読み出す。
【００３６】
ステップＳＴ１０７０では、誤差算出部１２１で、レプリカＣＲＥＰおよびＧＩ相関値ＣＥＤＧＥの誤差Ｄが算出され、ステップＳＴ１０８０では、最大誤差検出部１２２で、誤差Ｄが最大値ＤＭＡＸとなるタイミングを検出する。例えば、他セルのＦＦＴウィンドウタイミングが自セルのＦＦＴウィンドウタイミングよりも早い場合は、図５（ｂ）に示すように、時刻Ｔ１から時刻Ｔ３において誤差Ｄが生じる。そして、誤差Ｄが最大値ＤＭＡＸとなっている時刻Ｔ２を、他セルのＦＦＴウィンドウタイミングとして検出する。また、他セルのＦＦＴウィンドウタイミングが自セルのＦＦＴウィンドウタイミングより遅延している場合は、図５（ｃ）に示すように、時刻Ｔ４から時刻Ｔ６において誤差Ｄが生じる。そして、誤差Ｄが最大値ＤＭＡＸとなっている時刻Ｔ５を、他セルのＦＦＴウィンドウタイミングとして検出する。
【００３７】
そして、フレームタイミング／コード検出部１１１で、他セルサーチを開始する。すなわち、周辺セルのスクランブルコード情報を読み出し（ＳＴ１０９０）、移動先セルのフレームタイミングの検出および移動先セルのスクランブルコードの同定を行う（ＳＴ１１００）。これらの検出結果は、移動先セル検出結果として移動先セル検出結果格納部１０９に格納される（ＳＴ１１１０）。そして、ステップＳＴ１０２０に戻る。
【００３８】
ステップＳＴ１１２０では、セル切り替え部１０５で、移動先セル検出結果格納部１０９に格納されている移動先セル検出結果を読み出す。セル切り替え部１０５では、読み出された移動先セル検出結果に従ってセルの切り替えが行われる（ＳＴ１１３０）。
【００３９】
このように、本実施の形態によれば、接続セルのＳＩＲＭに基づいて、ＭＳ１００の現在位置が接続セルのセルエッジゾーンにあることを検出するため、周辺セルの受信ＳＩＲを常時検出する必要がなくなり、移動局装置の処理負荷および回路規模の増大を抑えることができる。さらに、現在位置がセルエッジゾーンであることが検出された場合に、他セルのＦＦＴウィンドウタイミングを検出し、現在位置が接続セルから他セルへのセル切り替えゾーンにあることが検出された場合に、検出されたＦＦＴウィンドウタイミングに従って、接続セルから他セルへの切り替えを行うため、セル切り替えが行われる前に移動先セルのＦＦＴウィンドウタイミングを知ることができ、セル切り替えのときに発生し得るパケットロスを低減することができる。
【００４０】
また、本実施の形態によれば、ＭＳ１００での検出結果を上り方向のチャネルを介してＢＳにフィードバックするための制御ビットをＭＳ１００において生成する必要がなくなる。したがって、ＭＳ１００の処理負荷を軽減することができるとともに、上り方向のチャネル利用効率を向上させることが可能となる。
【００４１】
また、本実施の形態によれば、接続セルのセル中央ゾーンでのＧＩ相関値ＣＣＥＮＴＥＲおよび接続セルのセルエッジゾーンでのＧＩ相関値ＣＥＤＧＥの誤差Ｄが最大値ＤＭＡＸとなるタイミングを、他セルのＦＦＴウィンドウタイミングの代用とするため、接続セルから他セルへのセル切り替えを円滑に行うことが可能となる。
【００４２】
（実施の形態２）
図６は、本発明の実施の形態２に係るＭＳの構成を示すブロック図である。なお、図６のＭＳ２００は、図１のＭＳ１００と同様の基本的構成を有しており、同一の構成要素には同一の参照符号を付し、その詳細な説明を省略する。
【００４３】
図６のＭＳ２００におけるＭＳ１００との相違は、図７に示すように、ＦＦＴタイミング検出部１０８の代わりにＦＦＴタイミング検出部２０１を有する点のみである。ＦＦＴタイミング検出部２０１は、実施の形態１で説明した誤差算出部１２１および誤差判定部２０２を有する。
【００４４】
誤差判定部２０２には、予め所定の誤差閾値ＤＴＨが記憶されている。誤差判定部２０２は、誤差Ｄを誤差閾値ＤＴＨと比較する。この比較の結果、誤差Ｄが最大値ＤＴＨを超過するタイミングを検出する。そして、検出されたタイミングを他セルのＦＦＴウィンドウタイミングとする。ＦＦＴタイミング検出部２０１では、このようにして他セルのＦＦＴウィンドウタイミングが推定される。
【００４５】
次いで、上記構成を有するＭＳ２００における移動先セル検出動作について説明する。図８は、ＭＳ２００における移動先セル検出動作を説明するためのフロー図である。
【００４６】
本実施の形態の移動先セル検出動作は、実施の形態１で説明したものと同様に、接続セルとの同期が保持されているときに開始される。また、本実施の形態の移動先セル検出動作においては、ステップＳＴ１０７０での誤差Ｄの算出処理の次に行われる処理のみが、実施の形態１で説明したものと相違している。
【００４７】
ステップＳＴ１０７０では、実施の形態１で説明したとおり、誤差算出部１２１で、レプリカＣＲＥＰおよびＧＩ相関値ＣＥＤＧＥの誤差Ｄが算出される。そして、ステップＳＴ１０８５では、誤差判定部２０２で、誤差Ｄが誤差閾値ＤＴＨを超過するタイミングを検出する。例えば、他セルのＦＦＴウィンドウタイミングが自セルのＦＦＴウィンドウタイミングよりも早い場合は、図９（ａ）に示すように、時刻Ｔ１から時刻Ｔ３において誤差Ｄが生じる。そして、誤差Ｄが誤差閾値ＤＴＨを超過する時刻Ｔ２を、他セルのＦＦＴウィンドウタイミングとして検出する。また、他セルのＦＦＴウィンドウタイミングが自セルのＦＦＴウィンドウタイミングより遅延している場合は、図９（ｂ）に示すように、時刻Ｔ４から時刻Ｔ６において誤差Ｄが生じる。そして、誤差Ｄが最大値ＤＴＨを超過する時刻Ｔ５を、他セルのＦＦＴウィンドウタイミングとして検出する。
【００４８】
このように、本実施の形態によれば、接続セルのセル中央ゾーンでのＧＩ相関値ＣＣＥＮＴＥＲおよび接続セルのセルエッジゾーンでのＧＩ相関値ＣＥＤＧＥの誤差Ｄが誤差閾値ＤＴＨを超過するタイミングを、他セルのＦＦＴウィンドウタイミングの代用とするため、接続セルから他セルへのセル切り替えを円滑に行うことが可能となる。
【産業上の利用可能性】
【００４９】
本発明の移動局装置およびセル選択方法は、移動局装置の処理負荷や回路規模の増大を抑えつつ、セル切り替えのときのパケットロスを低減する効果を有し、マルチキャリア伝送方式を適用した無線通信システムにおいて有用である。
【図面の簡単な説明】
【００５０】
【図１】本発明の実施の形態１に係る移動局装置の構成を示すブロック図
【図２】本実施の形態の移動局装置におけるＦＦＴタイミング検出部の構成を示すブロック図
【図３】本実施の形態の移動局装置における移動先セル検出動作を説明するためのフロー図
【図４】本実施の形態の移動局装置におけるセルエッジ検出動作を説明するための図
【図５】（ａ）本実施の形態の移動局装置において保持されるＧＩ相関値のレプリカを示す図、（ｂ）本実施の形態の移動局装置におけるＦＦＴタイミング検出の一例を説明するための図、（ｃ）本実施の形態の移動局装置におけるＦＦＴタイミング検出の他の例を説明するための図
【図６】本発明の実施の形態２に係る移動局装置の構成を示すブロック図
【図７】本実施の形態の移動局装置におけるＦＦＴタイミング検出部の構成を示すブロック図
【図８】本実施の形態の移動局装置における移動先セル検出動作を説明するためのフロー図
【図９】（ａ）本実施の形態の移動局装置におけるＦＦＴタイミング検出の一例を説明するための図、（ｂ）本実施の形態の移動局装置におけるＦＦＴタイミング検出の他の例を説明するための図
【図１０】従来のセル選択方法におけるアクティブセット更新動作を説明するためのフロー図
【符号の説明】
【００５１】
１００、２００  移動局装置
１０２  受信ＳＩＲ測定部
１０３  セルエッジ検出部
１０４  セル切り替え位置検出部
１０５  セル切り替え部
１０６  ＧＩ相関値算出部
１０７  レプリカ保持部
１０８、２０１  ＦＦＴタイミング検出部
１０９  移動先セル検出結果格納部
１１０  周辺セル情報保持部
１１１  フレームタイミング／コード検出部
１２１  誤差算出部
１２２  最大誤差検出部
２０２  誤差判定部
【図１】
2005318405.tif 000003
【図２】
2005318405.tif 000004
【図３】
2005318405.tif 000005
【図４】
2005318405.tif 000006
【図５】
2005318405.tif 000007
【図６】
2005318405.tif 000008
【図７】
2005318405.tif 000009
【図８】
2005318405.tif 000010
【図９】
2005318405.tif 000011
【図１０】
2005318405.tif 000012